(57)【要約】【課題】基地局との間で帯域不足の状態が生じても特定の呼には影響の無いよう通信品質の劣化を改善させることができる中継装置および中継方法を提供すること。【解決手段】無線端末１０と通信する端末側無線通信部２１と、基地局３０と通信する基地局側無線通信部２３と、無線端末１０と基地局３０との間のデータを中継する中継装置２０において、基地局３０との間で帯域不足の状態が生じた場合、音声呼のデータを廃棄しないように、通信中の音声呼の順位付けを行い、順位に従って、通信データの廃棄を行う制御部２２を有するように構成する。【選択図】図１
2015149616.tif 000002
【特許請求の範囲】
【請求項１】
無線端末と基地局との間のデータを中継する中継装置において、
前記基地局との間で帯域不足の状態が生じた場合、呼の通信データの順位付けを行い、前記順位に従って、通信データの廃棄を行う制御部を有する中継装置。
【請求項２】
前記制御部は、音声呼のデータを廃棄しないように、通信中呼の順位付けを行い、前記順位に従って、前記通信データの廃棄を行う請求項１に記載の中継装置。
【請求項３】
前記制御部は、通信中の音声呼の順位付けを行い、前記順位に従って、前記通信データの廃棄を行う請求項１に記載の中継装置。
【請求項４】
無線端末と基地局との間のデータを中継する中継装置の中継方法において、
前記基地局との間で帯域不足の状態が生じた場合、呼の通信データの順位付けを行い、前記順位に従って、通信データの廃棄を行うステップを有する中継方法。
【発明の詳細な説明】
【技術分野】
【０００１】
本発明は、無線信号を中継する中継装置および中継方法に関する。
【背景技術】
【０００２】
従来、無線通信エリアのカバレッジを拡張するために、無線リピータ（中継装置）が使用されている。さらに近年では、ＣＡＰＥＸ（capital expenditure：設備投資）やＯＰＥＸ（operating expenditure：運用コスト）を一層低減するために、都市部でも無線リピータを積極的に設置して、ビル影や地下街などにおける通信環境改善を図っている。
【０００３】
そして、従来の中継装置としては、現在使用されている通信帯域に応じて、データパケットよりも音声データを優先に転送している（例えば、特許文献１参照）。
【先行技術文献】
【特許文献】
【０００４】
【特許文献１】特開２００６−３０３５８７号公報
【発明の概要】
【発明が解決しようとする課題】
【０００５】
しかしながら、従来の中継装置では、データパケットと音声データの両方が存在する場合は、データパケットを破棄する事で帯域不足による影響を抑える事ができるが、音声データしか存在しない場合は、音声データを破棄することになる。
【０００６】
ここで、いくつかの音声データの一部が途中で破棄されてしまい、端末で音声データを再生しようとすると、破棄部分の音声が無音として再生されることがあるため、音声品質が劣化してしまう。また、帯域不足の状態が断続的に発生すると、端末で音声品質が劣化することで音声が聞き取れなくなることがあり、優先度の高い端末でも聞き取れなくなる恐れがある。
【０００７】
そこで、本発明は、従来の課題を解決するためになされたもので、基地局との間で帯域不足の状態が生じても特定の呼には影響の無いよう通信品質の劣化を改善させることができる中継装置および中継方法を提供することを目的とする。
【課題を解決するための手段】
【０００８】
本発明の中継装置は、無線端末と基地局との間のデータを中継する中継装置において、前記基地局との間で帯域不足の状態が生じた場合、呼の通信データの順位付けを行い、前記順位に従って、通信データの廃棄を行う制御部を有するように構成する。
【０００９】
本発明の中継装置の前記制御部は、音声呼のデータを廃棄しないように、通信中呼の順位付けを行い、前記順位に従って、前記通信データの廃棄を行うように構成する。
【００１０】
本発明の中継装置の前記制御部は、通信中の音声呼の順位付けを行い、前記順位に従って、前記通信データの廃棄を行うように構成する。
【発明の効果】
【００１１】
本発明は、基地局との間で帯域不足の状態が生じても特定の呼には影響の無いよう通信品質の劣化を改善させることができる中継装置および中継方法を提供するものである。
【図面の簡単な説明】
【００１２】
【図１】本発明の実施の形態に係る無線通信システムの構成図である。
【図２】本発明の実施の形態に係る中継装置の構成図である。
【図３】従来の無線通信システムの音声データの流れについて示す図である。
【図４】本発明の実施の形態に係る中継装置の動作について示す図である。
【図５】本発明の実施の形態に係る廃棄順位表について示す図である。
【図６】本発明の実施の形態に係る無線通信システムの音声データの流れについて示す図である。
【図７】本発明の実施の形態に係る無線通信システムの音声データの流れについて示す図である。
【発明を実施するための形態】
【００１３】
以下、本発明の実施の形態について、図面を参照して説明する。
【００１４】
図１は、本発明の実施の形態に係る無線通信システムの構成図である。図１に示した無線通信システムは、無線端末１０ａおよび無線端末１０ｂ、無線端末１０ａおよび無線端末１０ｂと基地局３０との間の情報を中継する中継装置２０、中継装置２０とバックホール４０との間の情報を転送する基地局３０を有している。なお、無線端末１０をそれぞれ区別する場合には、無線端末１０ａ、１０ｂと記載し、それぞれを区別しない場合には、無線端末１０と記載する。
【００１５】
基地局３０は、無線端末１０ａおよび無線端末１０ｂとも通信できるが、本発明の実施の形態では、本発明に関連しないため、説明していない。バックホール４０は、通信事業者などによって提供されるネットワークであり、端末間の情報を転送するネットワークである。
【００１６】
続いて、本発明の実施の形態に係る中継装置の構成を、図２を参照して説明する。
【００１７】
中継装置２０は、端末側無線通信部２１、制御部２２、および基地局側無線通信部２３によって構成されている。
【００１８】
端末側無線通信部２１は、無線端末１０と無線通信するように構成されている。端末側無線通信部２１は、無線端末１０から送信された情報を制御部２２に出力し、制御部２２から出力された情報を無線端末１０に送信するように構成されている。
【００１９】
制御部２２は、端末側無線通信部２１および基地局側無線通信部２３を制御すると共に、端末側無線通信部２１から出力された情報を基地局側無線通信部２３に出力し、基地局側無線通信部２３から出力された情報を端末側無線通信部２１に出力するように構成されている。制御部２２は本発明の中継方法に基づいて中継を行う。なお、制御部１７が実行する処理の詳細については、以下に中継装置２０の動作として説明する。
【００２０】
基地局側無線通信部２３は、無線端末１０と無線通信するように構成されている。端末側無線通信部２１は、バックホール４０から送信された情報を制御部２２に出力し、制御部２２から出力された情報をバックホール４０に送信するように構成されている。
【００２１】
ここで、従来の無線通信システムの音声データの流れについて図３を参照して説明する。
【００２２】
まず、ステップＳ１において、無線端末１０ａの４つの音声データａおよび無線端末１０ｂの４つの音声データｂが中継装置２に転送される。中継装置２は、これらの音声データを基地局３０に転送し、基地局３０は、これらの音声データをバックホール４０に転送する。また、基地局３０は、バックホール４０から無線端末１０ａ向けの音声データａおよび無線端末１０ｂ向けの音声データｂを受信し、中継装置２に転送する。中継装置２は、無線端末１０ａ向けの音声データａを無線端末１０ａ転送し、無線端末１０ｂ向けの音声データｂを無線端末１０ｂに転送する。
【００２３】
ここで、ステップＳ２において、中継装置２と基地局３０との間の無線通信を提供する通信帯域がなんらかの要因により不足したとする。
【００２４】
ステップＳ３において、無線端末１０ａの４つの音声データａおよび無線端末１０ｂの４つの音声データｂが中継装置２に転送される。ところが、帯域不足のため、継装置２は、無線端末１０ａの４つの音声データａおよび無線端末１０ｂの４つの音声データｂからそれぞれ２つずつしか基地局３０に転送できない。また、基地局３０は、バックホール４０から無線端末１０ａ向けの音声データａおよび無線端末１０ｂ向けの音声データｂを受信するが、帯域不足のため、それぞれ２つずつしか中継装置２に転送できない。その結果、中継装置２は、無線端末１０ａ向けの２つの音声データａと無音データ（○で図示）を無線端末１０ａ転送し、無線端末１０ｂ向けの２つの音声データｂと無音データ（○で図示）を無線端末１０ｂに転送することになる。
【００２５】
ここで、本発明の実施の形態に係る中継装置の動作について図４を参照して説明する。
【００２６】
制御部２２は、中継装置２０と基地局３０との間の無線通信を提供する通信帯域が不足しているか否かを判定する（Ｓ１１）。通信帯域が不足している場合は、制御部２２は、対象となる呼の廃棄順位を決定する（Ｓ１２）。この決定は、図５に示す廃棄順位表に従ってなされる。
【００２７】
まず、各呼の状態を参照し、制御部２２は、切断中のものは切断されるのでそのまま待ち、確立中のものは呼解放を行う。干渉回避中の呼は音声データが廃棄され、通信中の呼はこの廃棄順位表に従って廃棄順位が決定される。
【００２８】
廃棄順位としては、音声でない呼のパケットは最優先に順位付けされる。
【００２９】
次に、音声呼で変調方式がＢＰＳＫ、モビリティ(無線端末が固定されているのか移動可能なのかを示す種別)がＯＮ（移動可能）で、ＲＳＳＩが低いものが順位付けされる。
【００３０】
次に、音声呼で変調方式がＢＰＳＫ、モビリティ(無線端末が固定されているのか移動可能なのかを示す種別)がＯＮ（移動可能）で、ＲＳＳＩが高いものが順位付けされる。
【００３１】
次に、音声呼で変調方式がＢＰＳＫ、モビリティ(無線端末が固定されているのか移動可能なのかを示す種別)がＯＦＦ（固定）で、ＲＳＳＩが低いものが順位付けされる。
【００３２】
次に、音声呼で変調方式がＢＰＳＫ、モビリティ(無線端末が固定されているのか移動可能なのかを示す種別)がＯＦＦ（固定）で、ＲＳＳＩが高いものが順位付けされる。
【００３３】
次に、音声呼で変調方式がＱＰＳＫで、ＲＳＳＩが低いものが順位付けされる。
【００３４】
最後に、音声呼で変調方式がＱＰＳＫで、ＲＳＳＩが高いものが最も低く順位付けされる。
【００３５】
図４に示すように、制御部２２は、不足した帯域に応じて、このように順位付けされたものに従って、呼のパケットおよび音声データを廃棄する（Ｓ１３）。例えば、２つの音声呼分の帯域が足りなければ、最優先に順位付けされたものから２つの音声呼分の帯域分のパケットおよび音声データが廃棄される。
【００３６】
ここで、本発明の実施の形態に係る無線通信システムの音声データの流れについて図６を参照して説明する。
【００３７】
まず、ステップＳ１において、無線端末１０ａの４つの音声データａおよび無線端末１０ｂの４つの音声データｂが中継装置２０に転送される。中継装置２０は、これらの音声データを基地局３０に転送し、基地局３０は、これらの音声データをバックホール４０に転送する。また、基地局３０は、バックホール４０から無線端末１０ａ向けの音声データａおよび無線端末１０ｂ向けの音声データｂを受信し、中継装置２０に転送する。中継装置２０は、無線端末１０ａ向けの音声データａを無線端末１０ａ転送し、無線端末１０ｂ向けの音声データｂを無線端末１０ｂに転送する。
【００３８】
ここで、中継装置２０と基地局３０との間の無線通信を提供する通信帯域がなんらかの要因により不足したとする。ステップＳ４において、不足した帯域に応じて、廃棄順位付けされた呼に従って、呼のパケットおよび音声データを廃棄する。
【００３９】
ステップＳ５において、無線端末１０ａの４つの音声データａおよび無線端末１０ｂの４つの音声データｂが中継装置２０に転送される。ところが、帯域不足のため、継装置２は、無線端末１０ａの４つの音声データａおよび無線端末１０ｂの４つの音声データｂからそれぞれ４つしか基地局３０に転送できないとする。その際、中継装置２０が廃棄順位付けをしたことにより、無線端末１０ａの呼が無線端末１０ｂの呼より廃棄順位が高いとする。これにより、無線端末１０ａの４つの音声データａが中継装置２０によって廃棄される。
【００４０】
また、基地局３０は、バックホール４０から無線端末１０ａ向けの音声データａおよび無線端末１０ｂ向けの音声データｂを受信するが、中継装置２０と同様に、無線端末１０ａの４つの音声データａを廃棄する。その結果、中継装置２０は、無線端末１０ａ向けの無音データ（○で図示）を無線端末１０ａ転送し、無線端末１０ｂ向けの４つの音声データｂを無線端末１０ｂに転送することになる。
【００４１】
引き続き、本発明の実施の形態に係る無線通信システムの音声データの流れについて図７を参照して説明する。
【００４２】
上述したように、ステップＳ５では、音声データａが廃棄されていたが、ステップＳ６において、帯域不足は解消する。ここで、中継装置２０は、廃棄処理を停止する。すると、ステップＳ７では、ステップＳ１と同様に廃棄されるものが無くなり、呼のパケットおよび音声データが転送される。
【００４３】
以上説明したように、本発明の実施の形態に係る中継装置は、基地局との間で帯域不足の状態が生じた場合、通信中呼の通信データの順位付けを行い、この順位に従って、通信データの廃棄を行うため、特定の呼には影響の無いよう通信品質の劣化を改善させることができる。
【００４４】
また、本発明の実施の形態に係る中継装置は、基地局との間で帯域不足の状態が生じた場合、音声呼のデータを廃棄しないように、通信中呼の順位付けを行い、この順位に従って、通信データの廃棄を行うため、特定の音声呼には影響の無いよう通信品質の劣化を改善させることができる。
【００４５】
また、本発明の実施の形態に係る中継装置は、基地局との間で帯域不足の状態が生じた場合、音声呼のデータを廃棄しないように、通信中呼の順位付けを行い、この順位に従って、不足した帯域に応じて通信データの廃棄を行うため、特定の音声呼には影響の無いよう通信品質の劣化を改善させることができる。
【符号の説明】
【００４６】
１０  無線端末
２、２０  中継装置
２１  端末側無線通信部
２２  制御部
２３  基地局側無線通信部
３０  基地局
４０  バックホール
【図１】
2015149616.tif 000003
【図２】
2015149616.tif 000004
【図３】
2015149616.tif 000005
【図４】
2015149616.tif 000006
【図５】
2015149616.tif 000007
【図６】
2015149616.tif 000008
【図７】
2015149616.tif 000009